(57)【要約】ＳＭＳメッセージが非ＳＭＳ装置（例えば、古い通信ネットワークにおける有線装置）に配信される。入着ＳＭＳメッセージを受信すると、メッセージアプリケーションサーバ（例えば、ＳＭＳＣ）は、宛先端末の電話番号に基づいて、宛先端末が非ＳＭＳ装置であるかを検出できる。該宛先端末が非ＳＭＳ装置である場合、ＳＭＳＣは宛先装置に適する配信プロファイルに従ってＳＭＳメッセージの配信を開始する。例示の配信プロファイルとして、発話テキストメッセージフォーマット、ＩＳＵＰ互換テキストフォーマット又は発呼者ＩＤメッセージフォーマット等がある。
2010504661.tif 000002
【特許請求の範囲】
【請求項１】
方法は、
宛先端末に向けられたＳＭＳメッセージを受信するステップ、
該宛先端末が非ＳＭＳ装置であるかを判別するステップ、
該宛先端末が非ＳＭＳ装置である場合には、
該非ＳＭＳ装置に適する配信プロファイルを特定するステップ、及び
該配信プロファイルに従って該ＳＭＳメッセージを該非ＳＭＳ装置に配信するステップ
からなる方法。
【請求項２】
請求項１の方法であって、該ＳＭＳメッセージの発信側ネットワークに関連するＳＭＳメッセージアプリケーションサーバによって実行される方法。
【請求項３】
請求項１の方法であって、該ＳＭＳメッセージの終端側ネットワークに関連するＳＭＳメッセージアプリケーションサーバによって実行される方法。
【請求項４】
請求項１の方法において、前記宛先端末に向けられたＳＭＳメッセージを受信するステップが、
該宛先端末の電話番号を識別するステップ、及び
該電話番号が非ＳＭＳ装置に対応するかを判別するために、非ＳＭＳ装置に対応する１以上の電話番号の表示を含むデータベースを調べるステップ
からなる方法。
【請求項５】
請求項４の方法において、該電話番号が非ＳＭＳ装置に対応する場合には、前記配信プロファイルを特定するステップが、該非ＳＭＳ装置に関連する配信プロファイルを特定するデータベースを調べるステップからなる方法。
【請求項６】
請求項１において、前記非ＳＭＳ装置に適する配信プロファイルが発話テキストフォーマットからなる方法。
【請求項７】
請求項６の方法であって、さらに、
該宛先端末への呼を試行するステップと、
該宛先端末が該呼に応答した場合には、該ＳＭＳメッセージを発話テキストフォーマットを介して該宛先端末に配信するステップ
からなる方法。
【請求項８】
請求項６の方法であって、さらに、
呼を該宛先端末に試行するステップと、
該宛先端末が該呼に応答しない場合には、該ＳＭＳメッセージを発話テキストフォーマットを介して該宛先端末に関連するボイスメールサーバに配信するステップ
からなる方法。
【請求項９】
請求項１の方法において、該非ＳＭＳ装置に適する配信プロファイルがＩＳＵＰ互換メッセージフォーマットからなる方法。
【請求項１０】
請求項１の方法において、該非ＳＭＳ装置に適する配信プロファイルが発呼者ＩＤメッセージフォーマットからなる方法。
【発明の詳細な説明】
【技術分野】
【０００１】
本発明は概略としてショートメッセージサービス（ＳＭＳ）をサポートする通信ネットワークに関し、より詳細には、ＳＭＳメッセージを非ＳＭＳ装置（例えば、古い通信ネットワークにおける有線装置）に配信するための装置及び方法に関する。
【背景技術】
【０００２】
ショートメッセージサービス（ＳＭＳ）はユーザ端末（例えば、携帯電話）及び／又はネットワーク装置の間のショートメッセージ（テキストメッセージとしても知られる）の送信を許可するサービスである。ＳＭＳは、以下に限定されないが、ＧＳＭ、ＣＤＭＡ及びＵＭＴＳネットワーク、並びにＩＰマルチメディアサブシステム（ＩＭＳ）ネットワークのような次世代ＩＰネットワーク等の無線ネットワークにおける共通のサービスである。
【０００３】
ユーザがＳＭＳメッセージを送信すると、それは発信側ネットワークにおけるショート・メッセージ・サービス・センター（ＳＭＳＣ）として知られるメッセージアプリケーションサーバによって受信及び処理される。ＳＭＳＣは、以下に限られないが、送信元及び宛先のアドレス（例えば、電話番号又はＩＰアドレス）を含む情報を抽出し、処理し、及びそのメッセージを終端側ネットワークにおける宛先装置にルーティングする。終端側ネットワークは送信元ネットワークと同じネットワークとなることも、異なるネットワークとなることもある。終端側ネットワークがＳＭＳネットワークであり、宛先装置がＳＭＳ機能のある（即ち、ＳＭＳテキストメッセージを送受信及び表示する能力を持つ）装置となることが最も多い。ネットワークのトポロジによって、ＳＭＳメッセージは（ＩＰネットワークにおいて使用されるショートメッセージ・ピアトゥピアの）ＳＭＰＰ、（ＧＳＭネットワークにおける）ＧＳＭ＿ＭＡＰ又は（ＣＤＭＡネットワークにおける）ＡＮＳＩ＿ＭＡＰを含むプロトコルを用いて通信されることができる。
【０００４】
問題は、特定の「古い」ネットワーク（例えば、従来的な有線ネットワーク）は、ＭＡＰプロトコルを認識しない又はＳＭＰＰをサポートしない１以上の装置（「非ＳＭＳ装置」）を通常は含むために、ＳＭＳサービスをサポートしない又は少なくとも十分にはサポートしないことである。例えば、従来的な有線ネットワークはＭＡＰプロトコルを認識できず、従来的な有線ネットワーク内（又は有線ＩＰネットワークでも）のボイスメールサービスは通常はＳＭＰＰをサポートしない。関連する問題として、古いネットワークで使用される有線電話は、ＳＭＳメッセージを受信するようには装備されていない非ＳＭＳ装置であることが多い。例えば、それらはテキスト表示機能を有さず、ＳＭＳ以外のサービス／機能に適合されたテキスト表示を有することがある。それでもやはり、ＳＭＳサービスを古いネットワークに提供することへのニーズがあり、従って、ＳＭＳメッセージを何らかの形式で非ＳＭＳ装置と通信することへのニーズがある。
【発明の概要】
【課題を解決するための手段】
【０００５】
ＳＭＳサービスを非ＳＭＳ装置（例えば、古い通信ネットワークにおける有線装置）に拡張するための機能による技術において、この問題が対処され、技術的進歩が達成される。
【０００６】
一実施例において、ＳＭＳメッセージを非ＳＭＳ装置に配信するための方法が提供される。その方法は発信側又は終端側ネットワークにおけるＳＭＳメッセージアプリケーションサーバ（例えば、ＳＭＳＣ）によって実施され得る。宛先端末へ向けられたＳＭＳメッセージを受信すると、ＳＭＳＣは宛先端末が非ＳＭＳ装置かを判別する。宛先端末が非ＳＭＳ装置である場合、ＳＭＳＣは非ＳＭＳ装置に適する配信プロファイルを特定し、その配信プロファイルに従ってＳＭＳメッセージコンテンツを非ＳＭＳ装置に配信する。配信プロファイルは、以下に限定するわけではないが、ＳＭＳメッセージコンテンツを配信するための発話テキストメッセージフォーマット、ＩＳＵＰ互換テキストフォーマット又は発呼者ＩＤメッセージフォーマットを含むことができる。
【０００７】
他の実施例では、発話テキストフォーマットを介してＳＭＳメッセージコンテンツを配信する方法が提供される。宛先端末に向けられたＳＭＳメッセージを受信すると、ＳＭＳメッセージコンテンツが発話テキストに変換され、発話テキストＳＭＳメッセージを創出する。呼は宛先端末に対して試行され、宛先端末が呼に応答する場合、発話テキストＳＭＳメッセージは宛先端末に配信される。宛先端末が呼に応答しない場合、発話テキストＳＭＳメッセージは宛先端末による後の取得のためにボイスメールサーバに配信され得る。
【０００８】
さらに他の実施例では、ＩＳＵＰメッセージフォーマットを介してＳＭＳメッセージコンテンツを配信する方法が提供される。宛先端末に向けられたＳＭＳメッセージを受信すると、ＳＭＳメッセージコンテンツがＩＳＵＰメッセージのテキストフィールドに組み込まれる。ＩＳＵＰメッセージは宛先端末に配信され、宛先端末はＩＳＵＰメッセージから受信されたＳＭＳメッセージコンテンツを回復し、表示する。
【０００９】
さらに他の実施例では、発呼者ＩＤアプリケーションを介してＳＭＳメッセージコンテンツを配信する方法が提供される。送信元端末から宛先端末に向けられたＳＭＳメッセージを受信すると、送信元端末に関連する発呼者ＩＤ情報を受信するために発呼者ＩＤ照会が生成される。発呼者ＩＤ情報を受信することに応じて、発呼者ＩＤ情報及びＳＭＳメッセージコンテンツが宛先端末に発呼者ＩＤアプリケーションを介して送信される。宛先端末は発呼者ＩＤ情報及び発呼者ＩＤアプリケーションから受信されたＳＭＳメッセージコンテンツを回復し、表示する。
本発明の上述及び他の有利な効果が以降の詳細な説明を読み、図面を参照すれば明らかとなる。
【図面の簡単な説明】
【００１０】
【図１】図１は本発明の実施例による、ＳＭＳメッセージを非ＳＭＳ装置に配信するために動作可能な通信ネットワーク例を示す図である。
【図２】図２は本発明の実施例による、ＳＭＳメッセージを非ＳＭＳ装置に配信するためのステップを示すフローチャートである。
【図３】図３は本発明の実施例による、発話テキストフォーマットを介したＳＭＳメッセージ配信を示すメッセージシーケンスチャートである。
【図４】図４は本発明の実施例による、ボイスメールサーバへの発話テキストフォーマットを介したＳＭＳメッセージ配信を示すメッセージシーケンスチャートである。
【図５】図５は本発明の実施例による、ＩＳＵＰ互換テキストメッセージを介したＳＭＳメッセージ配信を示すメッセージシーケンスチャートである。
【図６】図６は本発明の実施例による、発呼者ＩＤメッセージを介したＳＭＳメッセージ配信を示すメッセージシーケンスチャートである。
【発明を実施するための形態】
【００１１】
図１に本発明の代表的実施例における通信ネットワーク１００を示す。通信ネットワーク１００は、（例えば、有線ネットワークからなる）終端側ネットワーク１０４にパケットネットワーク１０６を介して動作可能に接続された（例えば、無線ネットワーク又はＩＭＳネットワークからなる）発信側ネットワーク１０２からなる。通信ネットワーク１００は（送信者「Ａ」に関連する）ＳＭＳ機能を有する送信元端末１０８と（送信者「Ｂ」に関連する）非ＳＭＳ宛先端末１１０の間のＳＭＳメッセージングサービスを提供するよう適合されている。
【００１２】
送信元端末１０８は、限定するわけではないが、無線電話、有線電話、ＰＤＡ、ＰＣ、ＶｏＩＰ電話又はＳＩＰ電話等、ＳＭＳメッセージを通信ネットワーク１００を介して送信及び受信する能力を持つ何らかの装置であればよい。宛先端末１１０は、限定するわけではないが、例えば、テキスト表示能力がない、又はＳＭＳ以外のサービス／機能に適合したテキスト表示（不図示）を有するために、従来のＳＭＳサービスをサポートすることができない有線ＰＯＳＴ又はＩＳＤＮ電話等となる。従って、説明の便宜上、宛先端末は、従来のＳＭＳテキストメッセージングをサポートしないので非ＳＭＳ装置という用語とする。しかし、より詳細を以降に記載するように、本発明はＳＭＳサービスを非ＳＭＳ端末１１０に、宛先端末１１０に適する何らかの形式で提供することに向けられている。
【００１３】
送信元及び宛先端末１０８、１１０は、送信元端末と宛先端末の間のＳＭＳメッセージ等の呼及びメッセージを処理及び交換するために動作可能なスイッチ要素１１２、１２０（「スイッチ」）に論理的に接続されている。従来通り（図示するように）、送信元端末１０８にサービングするスイッチ１１２を発信側スイッチといい、宛先端末１１０にサービングするスイッチ１２０を終端側スイッチという。スイッチ１１２、１２０はパケットネットワーク１０６（例えば、ＩＰネットワーク）で接続されている。
【００１４】
スイッチ１１２、１２０は一般には、各々が動作するネットワークトポロジによって異なる。例えば、スイッチ１１２、１２０は、有線ネットワークでは５ＥＳＳ（登録商標）交換システムのような中央局スイッチ、無線ネットワークではＡＵＴＯＰＬＥＸ（登録商標）のような移動局交換センター（ＭＳＣ）、及びＩＭＳネットワークではソフトスイッチ又はメディアゲートウェイに入っているようなコールセッション制御機能（ＣＳＣＦ）からなっていればよい。図１の代表的実施例では、発信側ネットワーク１０２が無線ネットワーク又はＩＭＳネットワークであり、終端側ネットワークが有線ネットワークであり、発信側スイッチ１１２がＭＳＣ又はＣＳＣＦからなり、終端側スイッチ１２０が中央局スイッチからなるものとする。スイッチ１１２、１２０は、限定するわけではないがインターネットプロトコル（ＩＰ）及び非対称転送モード（ＡＴＭ）技術等の一般的に適切な何らかの回路、セル、又はパケット交換及びルーティング技術を用いる動作のために構成できることが分かるはずである。
【００１５】
通信ネットワーク１００はさらに、発信側において、メッセージアプリケーションサーバ１１４、ホームロケーションレジスタ（ＨＬＲ）／ホーム加入者サーバ（ＨＳＳ）１１６及びボイスメールサーバ１１８を含み、終端側において、メッセージアプリケーションサーバ１２２、ボイスメールサーバ１２４、発呼者ＩＤアプリケーション１２６及びサービス制御ポイント（ＳＣＰ）／データベース１２８を含むものとして示されている。これらの装置の各々は、１以上の物理的構造物に個別若しくは集合的に存在し、又はソフトウェアに実装され得る機能要素であることが分かるはずである。さらに、装置は発信側及び／又は終端側ネットワークのネットワークトポロジによって異なる形態を採り得る。
【００１６】
メッセージアプリケーションサーバ１１４、１２２は送信元端末と宛先端末の間のＳＭＳメッセージを受信及び処理するように適合されたショートメッセージサービスセンター（ＳＭＳＣ）からなる。ＨＬＲ／ＨＳＳ１１６は送信元及び宛先端末１０２、１０４に関連する加入者データ及び位置情報を記憶するロケーションレジスタである。従来的には、用語ＨＬＲは無線ネットワークのロケーションレジスタを意味し、用語ＨＳＳはＩＭＳネットワークのロケーションレジスタを意味する。
【００１７】
メッセージ処理中に、発信メッセージアプリケーションサーバ１１４は、宛先端末１０４にサービングする終端側スイッチ１２０のアドレス情報等の送信元及び宛先端末１０２、１０４に関連するアドレス情報を取得するためにＨＬＲ／ＨＳＳと通信する。宛先端末１０４に向けられたＳＭＳメッセージは終端側スイッチ１２０に送信され、それに対して、終端側スイッチ１２０は継続される処理のためにＳＭＳメッセージを終端メッセージアプリケーションサーバ１２２に転送する。
【００１８】
ボイスメールサーバ１１８、１２４はボイスメールサービスを発信及び終端側ネットワークにそれぞれ提供する。よく知られているように、ボイスメールサービスは、例えば宛先装置へ試行された呼が通話中信号を受信し、又は応答なしであることに応じて、宛先装置へのボイスメッセージを記録し蓄積する能力を送信元端末に提供するものである。現在知られているように、ボイスメールサービスはＳＭＳメッセージサービスをサポートしない。これに対して、より詳細を後述するように、本発明の実施例は適当な場合にボイスメールを介してＳＭＳメッセージを配信するための能力を提供するものである。
【００１９】
図示するように、終端側ネットワークは発呼者ＩＤサービスを宛先端末１１０に提供するための発呼者ＩＤアプリケーション１２６及びＳＣＰ／データベース１２８も含む。発呼者ＩＤアプリケーション１２６は通常は終端側スイッチ１２０内に存在する。しかし、発呼者アプリケーション１２６は終端側スイッチから遠隔的に存在し得る機能要素である。よく知られるように、発呼者ＩＤサービスは、宛先端末が発呼者ＩＤサービスに加入し、かつ発呼者ＩＤディスプレイを含むものとして、送信元端末に関連する識別子（例えば、名前又は電話番号）を宛先端末に関連するテキストディスプレイに送信するよう動作するものである。しかし、限度として、発呼者ＩＤディスプレイはテキストメッセージで特徴付けられ、それはＳＭＳメッセージではない。現在知られているように、発呼者ＩＤサービスはＳＭＳメッセージサービスを提供しない。しかし、より詳細を後述するように、本発明の実施例は本発明の実施例は適当な場合に発呼者ＩＤ表示を介してＳＭＳメッセージを配信するための機能を提供するものである。
【００２０】
図２は本発明の実施例による、ＳＭＳメッセージを非ＳＭＳ装置に配信するためのステップを示すフローチャートである。図２に示す各ステップはメッセージアプリケーションサーバ１１４、１２２の一方又は両方によって実施される。説明の便宜のため、図２の各ステップは「代行（アクティング）」メッセージアプリケーションサーバを参照して記載されているが、この用語は特に他を指定しない限りはＳＭＳＣ１１４、１２２の一方又は双方からなるものと理解できる。さらに、図２の各ステップは図１の通信ネットワーク１００の各要素を参照して記載されているが、本方法は図１のネットワーク又は要素に限定されるものではない。
【００２１】
本方法は、ステップ２０２において、代行メッセージアプリケーションサーバが非ＳＭＳ装置のデータベース／プロファイルを保持し又はそれにアクセスするものとして、そうでない場合にはそのようなデータベースに動作可能に接続されているものとしている。データベース／プロファイルは代行メッセージアプリケーションサーバに存在し、又は代行メッセージアプリケーションサーバから遠隔にある１以上の物理的装置に存在し得る機能的要素である。一実施例では、データベースは、従来のＳＭＳサービスをサポートしない有線ＰＯＴＳ又はＩＳＤＮ電話のような種々の非ＳＭＳ装置の電話番号の記録からなる。好適なことに、その記録はさらに、それぞれの装置に関連する、即ち、ＳＭＳメッセージを非ＳＭＳ装置に配信するための適切な又は好適なフォーマットを示すＳＭＳ配信プロファイルを含む。選択的に、データベースは非ＳＭＳ装置だけでなくＳＭＳ機能付き装置に関連する記録及び配信プロファイルを含んでいてもよい。
【００２２】
本発明の実施例によると、ＳＭＳ配信プロファイルは、特定の非ＳＭＳ装置に適する発話テキストメッセージフォーマット、ＩＳＵＰ互換テキストフォーマット又は発呼者ＩＤメッセージフォーマットを備えることができる。例えば、発話テキストフォーマットがディスプレイを持たない有線電話に対して示され、ＩＳＵＰ互換テキストフォーマットがディスプレイ付のＩＳＤＮ電話に対して示され、及び発呼者ＩＤメッセージフォーマットが発呼者ＩＤディスプレイ機能を持つ電話に対して示されることができる。
【００２３】
ステップ２０４において、代行メッセージアプリケーションサーバは入着ＳＭＳメッセージを受信し、宛先端末の電話番号を検出する。例えば、代行メッセージアプリケーションサーバは入着ＳＭＳメッセージのメッセージヘッダを検査することによって宛先端末の電話番号を特定することができる。次に、ステップ２０６において、代行メッセージアプリケーションサーバはデータベース／プロファイルを調べて電話番号が非ＳＭＳ装置に対応するか否かを検出する。
【００２４】
電話番号が非ＳＭＳ装置に対応しないと判断された場合（又は代替的に、電話番号がＳＭＳ機能付き装置であると断定された場合）、入着ＳＭＳメッセージは通常通りステップ２０８に進められる。
【００２５】
電話番号が非ＳＭＳ装置に対応すると判断された場合、代行メッセージアプリケーションサーバは、ステップ２１０で、データベース／プロファイルを調べて、それぞれの装置に関連する、即ち、ＳＭＳメッセージを非ＳＭＳ装置に配信するための適切な又は好適なフォーマットを示すＳＭＳ配信プロファイルを検出する。選択的に、配信プロファイルが示されない場合、メッセージアプリケーションサーバは宛先装置の特性に基づいてＳＭＳ配信プロファイルを導出し、又はデフォルトのＳＭＳ配信プロファイルを用いることができる。
【００２６】
最後に、ステップ２１２において、代行メッセージアプリケーションサーバは、検出され、導出された又はデフォルトの配信プロファイルに従ってＳＭＳメッセージを配信する。前述したように、配信プロファイルは、特定の非ＳＭＳ装置に適する発話テキストメッセージフォーマット、ＩＳＵＰ互換テキストフォーマット又は発呼者ＩＤメッセージフォーマットを備えることができる。
【００２７】
図３から図６に種々の配信プロファイルに対応するメッセージシーケンスチャート例を示す。図１を参照すると、例示のメッセージシーケンスが発信側ネットワーク１０２（例えば、ＩＭＳ又は無線ネットワーク）の送信元端末１０８から発信し、終端側ネットワーク１０４（例えば、有線ネットワーク）の非ＳＭＳ宛先端末１１０に向けられる。
【００２８】
まず、図３を参照すると、発話テキストフォーマットを介した非ＳＭＳ宛先端末１１０にＳＭＳメッセージの配信を行うメッセージシーケンスが示される。入着ＳＭＳメッセージ（無線ネットワークではＦＷ＿ＳＭＳ＿ＭＴ、又はＩＭＳネットワークではＳＩＰメッセージ）が代行メッセージアプリケーションサーバによって受信される。代行メッセージアプリケーションサーバは発信側ネットワークのＳＭＳＣ１１４か、終端側ネットワークのＳＭＳＣ１２２を備えることができる。入着ＳＭＳメッセージは、メッセージの送信元として端末１０８を、メッセージの意図される受信者として端末１１０を識別する（メッセージヘッダ（不図示）を含む。一実施例では、端末１０８及び１１０が電話番号によって特定される。
【００２９】
代行ＳＭＳＣは図２に関連して記載されるようなデータベース／プロファイルを調べて、宛先端末１１０の電話番号に基づいて、宛先端末１１０が非ＳＭＳ装置であること、及び発話テキストフォーマットが端末１１０へのＳＭＳメッセージを配信するための適切又は好適なフォーマットであることを特定する。発話テキストが適切又は好適なフォーマットであることが特定されると、代行ＳＭＳＣはＳＭＳメッセージを（ＳＭＳ１１４が代行ＳＭＳＣである場合には）ボイスメールサーバ１１８又は（ＳＭＳＣ１２２が代行ＳＭＳＣである場合には）ボイスメールサーバ１２４にＳＭＰＰインターフェイスを介してルーティングし、ボイスメールサーバはＳＭＳテキストメッセージを発話テキストフォーマットに変換する。
【００３０】
以降、ボイスメールサーバは終端側スイッチ１２０及び宛先端末１１０と通信するために有線フォーマット呼出力シーケンス（図示するように、ＩＳＵＰ（ＩＳＤＮ・シグナリング・ユーザ・パート）シーケンス）を開始する。ＩＳＵＰシーケンスはボイスメールサーバから宛先端末へ終端側スイッチを介して送信されるＩＡＭ（開始アドレスメッセージ）、及び宛先端末１１０でリングシーケンスを実行する終端側スイッチを介して宛先端末からボイスメールサーバに返送されるＡＣＭ（アドレス完了メッセージ）からなる。
【００３１】
受信側当事者「Ｂ」が呼に応答すると（即ち、呼出力が成功すると）、宛先端末１１０はＡＮＭ（応答メッセージ）を終端側スイッチを介して返送する。ＡＮＭは呼が応答されたか応答されなかったかを終端側スイッチに示す。本例では、ＡＮＭは呼が応答されたことを示し、ＡＮＭに応じてボイスメールサーバは宛先端末への発話テキストＳＭＳメッセージの再生を始める。再生が完了し、当事者「Ｂ」が電話を切ると、宛先端末はＲＥＬ（解放メッセージ）を終端側スイッチを介してボイスメールサーバに送信し、ボイスメールサーバはＲＬＣ（解放完了メッセージ）で応答する。ボイスメールサーバは代行メッセージアプリケーションサーバにＳＭＰＰ＿Ａｃｋで返答し、それに対してメッセージアプリケーションサーバは応答メッセージ（無線ネットワークではＦＷ＿ＳＭＳ＿ＭＴ、又はＩＭＳネットワークでは２００ＯＫメッセージ）を発信端末１０８に送信する。
【００３２】
図４に、非ＳＭＳ宛先端末１１０に関連するボイスメールサーバへの発話テキストフォーマットを介したＳＭＳメッセージの配信に関するメッセージシーケンスを示す。図４のメッセージシーケンスは、代行メッセージアプリケーションサーバが入着ＳＭＳメッセージ（無線ネットワークではＦＷ＿ＳＭＳ＿ＭＴ、又はＩＭＳネットワークではＳＩＰメッセージ）を受信し、データベース／プロファイルを調べて、宛先端末１１０が非ＳＭＳ装置であること、及び発話テキストフォーマットがＳＭＳメッセージを端末１１０に配信するのに適当又は好適なフォーマットであることを特定することによって、図３に関連して記載したメッセージシーケンスと同様の態様で始まる。
【００３３】
発話テキストが適切又は好適なフォーマットであると特定すると、代行ＳＭＳＣはＳＭＳメッセージをボイスメールサーバ１２４にＳＭＰＰインターフェイスを介してルーティングし、ボイスメールサーバはＳＭＳテキストメッセージを発話テキストフォーマットに変換する。その後、ボイスメールサーバ１２４は終端側スイッチ１２０及び宛先端末１１０と通信するために、有線フォーマットメッセージシーケンス（図示するように、ＩＳＵＰ（ＩＳＤＮ・シグナリング・ユーザ・パート）シーケンス）を開始する。
【００３４】
本例では、呼は応答されず、宛先端末１１０はＡＮＭ（応答メッセージ）を終端側スイッチに返送して呼が応答されないことを示す。ＡＮＭに応じて、ボイスメールサーバ１２４は発話テキストＳＭＳメッセージを宛先端末に関連するボイスメールボックスに保存することによって無応答時処理を行う。宛先端末は後に、よく知られるようにボイスメールサーバ１２４に接続することによって発話テキストＳＭＳ、メッセージを取得及び再生することができる。発話テキストＳＭＳメッセージを保存した後に、ボイスメールサーバ１２４は代行メッセージアプリケーションサーバにＳＭＰＰ＿Ａｃｋで返答し、それに対して、メッセージアプリケーションサーバは応答メッセージ（無線ネットワークではＦＷ＿ＳＭＳ＿ＭＴ、又はＩＭＳネットワークでは２００ＯＫメッセージ）を発信端末１０８に送信する。
【００３５】
図５にＩＳＵＰ互換テキスト表示を介した非ＳＭＳ端末１１０へのＳＭＳメッセージ配信に関連するメッセージシーケンスを示す。メッセージシーケンスは、代行メッセージアプリケーションサーバ（例えば、ＳＭＳＣ１１４又は１２２）が入着ＳＭＳメッセージ（無線ネットワークではＦＷ＿ＳＭＳ＿ＭＴ、又はＩＭＳネットワークではＳＩＰメッセージ）を受信し、データベース／プロファイルを調べて、宛先端末１１０が非ＳＭＳ装置であること、及びＩＳＵＰフォーマットを介したテキスト配信がＳＭＳメッセージを端末１１０に配信するのに適当又は好適なフォーマットであることを特定することによって始まる。
【００３６】
非ＳＭＳテキスト表示（例えば、ＩＳＤＮ表示）が適切又は好適なフォーマットであると特定すると、代行ＳＭＳＣはＳＭＳメッセージの内容をＩＳＵＰフォーマットメッセージのテキストフィールドに埋め込み、（図示するようなＩＳＵＰシーケンス）有線呼出力シーケンスを開始してＩＳＵＰフォーマットメッセージを宛先端末１１０に送信する。ＩＳＵＰシーケンスはメッセージアプリケーションサーバから終端側スイッチを介して宛先端末に送信されたＩＡＭ（開始アドレスメッセージ）、及び宛先端末から主端スイッチを介してメッセージアプリケーションサーバに返送されたＡＣＭ（アドレス完了メッセージ）からなる。
【００３７】
宛先端末はＳＭＳコンテンツをＩＳＵＰフォーマットメッセージのテキストフィールドから取得し、テキストメッセージをそれ自身のディスプレイ（例えば、ＩＳＤＮディスプレイ）を介して表示する。ＩＳＵＰ互換テキストメッセージを宛先端末に送信すると、メッセージアプリケーションサーバは応答メッセージ（無線ネットワークではＦＷ＿ＳＭＳ＿ＭＴ、又はＩＭＳネットワークでは２００ＯＫメッセージ）を発信端末１０８に送信する。
【００３８】
図６に、発呼者ＩＤテキストメッセージを介した非ＳＭＳ端末１１０へのＳＭＳメッセージ配信に関連するメッセージシーケンスを示す。代行メッセージアプリケーションサーバ（例えば、ＳＭＳＣ１１４又は１２２）は入着ＳＭＳメッセージ（無線ネットワークではＦＷ＿ＳＭＳ＿ＭＴ、又はＩＭＳネットワークではＳＩＰメッセージ）を受信し、データベース／プロファイルを調べて、宛先端末１１０が非ＳＭＳ装置であること、及び発呼者ＩＤテキストメッセージを介したテキスト配信がＳＭＳメッセージを端末１１０に配信するのに適当又は好適なフォーマットであることを特定する。
発呼者ＩＤ互換テキスト表示が適切又は好適なフォーマットであると特定すると、代行ＳＭＳＣはＳＭＳメッセージの内容をＩＳＵＰフォーマットメッセージ（図示するようなＩＳＵＰ＿ＩＡＭメッセージ）のテキストフィールドに埋め込み、ＩＡＭメッセージを終端側スイッチ１２０に送信することによって有線フォーマットの呼出力シーケンスを開始する。
【００３９】
一実施例では、終端側スイッチ１２０はサービススイッチングポイント（ＳＳＰ）として知られるアドバンスト・インテリジェント・ネットワーク（ＡＩＮ）コンポーネントを含む。当業者には分かるように、ＳＳＰはトリガを認識しそれに応答し、他のＡＩＮコンポーネントと（通常はＳＳ７シグナリングプロトコルを介して）通信して発呼者ＩＤに関連する機能及び他のサービスを実行する。ＩＡＭメッセージが終端側スイッチ／ＳＳＰによって受信されると、ＳＳＰが発呼者ＩＤ照会（図示するような初期ＤＰメッセージ）を生成してＳＣＰ１２８にそれを送信するトリガがアクティベートされる。終端側スイッチ／ＳＳＰはＩＡＭテキストフィールドからのＳＭＳメッセージコンテンツを検出し、ＳＭＳメッセージコンテンツをＳＣＰに渡す前に初期ＤＰメッセージのテキストフィールドに埋め込む。初期ＤＰメッセージは発呼者ＩＤサービスを実施するために共通に使用されるＩＮＡＰ（インテリジェント・ネットワーク・アプリケーション・プロトコル）動作である。
【００４０】
なお、以降において、用語ＳＭＳメッセージコンテンツとは、フォーマットに限定することなく一般に発信ＳＭＳメッセージによって伝達される情報を意味する。用語「埋め込む」とは一般にＳＭＳメッセージコンテンツを独立のメッセージ（例えば、ＩＡＭ又はＩＮＡＰメッセージ）に含めることを意味する。ＳＭＳメッセージコンテンツは仮想的にあらゆる記号、文字、符号その他独立のメッセージに適切なものによる方法で埋め込まれ得る。
【００４１】
ＳＣＰ１２８は、ＳＳＰからの照会に応答して発呼者ＩＤ情報及び他の呼制御情報をつきとめて取得するためにデータベースに蓄積又はアクセスするＡＩＮコンポーネントである。説明の便宜上、ＳＣＰはＳＣＰ／データベースとして識別される。ＳＣＰ／データベースは１以上の物理的構造物に存在し得る機能要素であることが分かる。発呼者ＩＤ照会（例えば、初期ＤＰメッセージ）の取得に応じて、ＳＣＰ１２８は発呼者に関連する発呼者ＩＤ情報を取得し、発呼者ＩＤ情報をＳＳＰに（図示するように接続メッセージを介して）返送する。本発明の原理によると、ＳＣＰはさらに発呼者ＩＤ照会からのＳＭＳメッセージコンテンツを検出し、メッセージコンテンツを接続メッセージのテキストフィールドを介してＳＳＰに返送する。このような態様で、ＳＳＰは発呼者ＩＤ情報及びＳＭＳメッセージコンテンツをＳＣＰから受信する（従って、ＳＳＰはＳＭＳＣから以前に受信したＳＭＳメッセージコンテンツを蓄積している必要はない）。あるいは、ＳＳＰはＳＭＳＣから以前に受信したＳＭＳメッセージコンテンツを蓄積することもできる（この場合、ＳＳＰはＳＣＰからのＳＭＳメッセージコンテンツを送信又は受信する必要はない）。
【００４２】
接続メッセージを受信するのに応じて、終端側スイッチはＩＡＭ（初期アドレスメッセージ）を宛先端末に送信することによって有線呼出力シーケンスを継続し、宛先端末は宛先端末１１０上でリングシーケンスを実行するＡＣＭ（アドレス完了メッセージ）を返送する。リングシーケンスの前又はその途中のいずれかの時に、終端側スイッチ／ＳＳＰは発呼者ＩＤ情報及びＳＭＳメッセージコンテンツを発呼者ＩＤアプリケーション１２６に送信する。一実施例では、発呼者ＩＤアプリケーションは発呼者ＩＤ情報及びＳＭＳメッセージコンテンツを第１及び第２のリングトーン間の周波数シフトキーイング（ＦＳＫ）シグナリングによって宛先端末に送信する。宛先端末に関連する発呼者ＩＤ装置はその発呼者ＩＤ情報及びＳＭＳメッセージコンテンツを捕捉し、表示し、及びメモリに蓄積する。宛先端末１１０はＡＮＭ（応答メッセージ）を終端側スイッチを介して返送し、終端側スイッチは応答メッセージ（無線ネットワークではＦＷ＿ＳＭＳ＿ＭＴ、又はＩＭＳネットワークでは２００ＯＫメッセージ）を発信端末１０８に送信する。
【００４３】
本発明の特定の代表的実施例がいくつかの側面を単純化又は省略して記載されてきた。当業者であれば発明の範囲内のものとなるこれら実施例の変形例を想到できるはずである。記載される実施例は全ての側面において例示としてみなされるに過ぎず、限定的なものではない。発明は、図１とは異なる、又は図３〜図６に示すもの以外のメッセージシーケンスを用いるネットワーク技術を持つものを含むあらゆる有線、無線又はＩＭＳネットワークに一般に配備され得る。発明の範囲は、それゆえ、上記の記載ではなく添付の特許請求の範囲によって示される。特許請求の範囲の均等の意味及び範囲に入る全ての変更はその範囲に包含されるものである。
【図１】
2010504661.tif 000003
【図２】
2010504661.tif 000004
【図３】
2010504661.tif 000005
【図４】
2010504661.tif 000006
【図５】
2010504661.tif 000007
【図６】
2010504661.tif 000008
【国際調査報告】
2010504661.tif 000009
2010504661.tif 000010
2010504661.tif 000011